(57)【要約】  本発明は電気的マルチバンドモジュールに関する。本発明のモジュールは、それぞれ個別の周波数帯域で信号を伝送する少なくとも３つの信号路（１，２，３）と、入力側でアンテナ路（１２３）へ接続され、出力側で各信号路（１，２，３）へ接続された周波数切換部（４０）とを有し、ここで、少なくとも１つの信号路にダブルモードＳＡＷフィルタを含むバンドパスフィルタ（３２）が配置されている。
2009534871.tif 000002
【特許請求の範囲】
【請求項１】
それぞれ個別の周波数帯域で信号を伝送する少なくとも３つの信号路（１，２，３）と、入力側でアンテナ路（１２３）へ接続され、出力側で各信号路（１，２，３）へ接続された周波数切換部（４０）とを有し、
ここで、少なくとも１つの信号路にダブルモードＳＡＷフィルタを含むバンドパスフィルタ（３２）が配置されている
ことを特徴とする電気的マルチバンドモジュール。
【請求項２】
第１の周波数帯域の信号を伝送する第１の信号路（１）と、第２の周波数帯域の信号を伝送する第２の信号路（２）と、第３の周波数帯域の信号を伝送する第３の信号路（３）とを含み、バンドパスフィルタ（３２）は第３の信号路に配置されている、請求項１記載のモジュール。
【請求項３】
周波数切換部（４０）は第１のディプレクサ（４１）と第２のディプレクサ（４２）とを含み、第２の信号路（２）および第３の信号路（３）は第２のディプレクサ（４２）を介して共通信号路（２３）へ接続されており、共通信号路（２３）および第１の信号路（１）は第１のディプレクサ（４１）を介してアンテナ路（１２３）へ接続されている、請求項２記載のモジュール。
【請求項４】
第１のディプレクサ（４１）は第１のローパス（１１）および第１のハイパス（２３０）を含み、第１のハイパス（２３０）は共通信号路（２３）に対応しており、第１のローパス（１１）は第１の信号路（１）に対応している、請求項３記載のモジュール。
【請求項５】
第２のディプレクサ（４２）は第２のローパス（３１）および第２のハイパス（２１）を含み、第２のローパス（３１）は第３の信号路（３）に対応しており、第２のハイパス（２１）は第２の信号路（２）に対応している、請求項３または４記載のモジュール。
【請求項６】
バンドパスフィルタ（３２）は第２の周波数帯域に阻止帯域を有する、請求項２から５までのいずれか１項記載のモジュール。
【請求項７】
バンドパスフィルタ（３２）は第１の周波数帯域に阻止帯域を有する、請求項２から６までのいずれか１項記載のモジュール。
【請求項８】
第１の周波数帯域の中心周波数ｆ１、第２の周波数帯域の中心周波数ｆ２および第３の周波数帯域の中心周波数ｆ３に対してｆ１＜ｆ３＜ｆ２が成り立つ、請求項２から７までのいずれか１項記載のモジュール。
【請求項９】
ｆ３≧２ｆ１が成り立つ、請求項８記載のモジュール。
【請求項１０】
ｆ３＜ｆ２＜１．５ｆ３が成り立つ、請求項８または９記載のモジュール。
【請求項１１】
第１の信号路（１）および第２の信号路（２）はそれぞれ送受信路であり、第３の信号路（３）は受信路である、請求項２から１０までのいずれか１項記載のモジュール。
【請求項１２】
第１の信号路（１）および第２の信号路（２）はそれぞれ移動無線信号の伝送のために構成されており、第３の信号路（３）はＧＰＳ信号の伝送のために構成されている、請求項２から１１までのいずれか１項記載のモジュール。
【請求項１３】
ダブルモードＳＡＷフィルタは少なくとも５つの変換器を備えた音響トラックを含む、請求項２から１２までのいずれか１項記載のモジュール。
【請求項１４】
並列接続された複数の入力変換器および並列接続された複数の出力変換器が設けられており、ここで２つの出力変換器のあいだに１つの入力変換器が配置されているかまたは２つの入力変換器のあいだに１つの出力変換器が配置されている、請求項１３記載のモジュール。
【請求項１５】
バンドパスフィルタ（３２）はダブルモードＳＡＷフィルタの前方に接続された少なくとも１つの第１のレゾネータを有する、請求項２から１４までのいずれか１項記載のモジュール。
【請求項１６】
バンドパスフィルタ（３２）はダブルモードＳＡＷフィルタの後方に接続された少なくとも１つの第２のレゾネータを有する、請求項２から１５までのいずれか１項記載のモジュール。
【請求項１７】
少なくとも１つの第１のレゾネータおよび／または少なくとも１つの第２のレゾネータは直列レゾネータを含む、請求項１５または１６記載のモジュール。
【請求項１８】
少なくとも１つの第１のレゾネータおよび／または少なくとも１つの第２のレゾネータは並列レゾネータを含む、請求項１５から１７までのいずれか１項記載のモジュール。
【請求項１９】
少なくとも１つの第１のレゾネータおよび／または少なくとも１つの第２のレゾネータは少なくとも１つのラダー型素子を形成している、請求項１５から１８までのいずれか１項記載のモジュール。
【請求項２０】
バンドパスフィルタ（３２）は対称出力側を有する、請求項１５から１９までのいずれか１項記載のモジュール。
【請求項２１】
第２のハイパス（２１）は主として第１の周波数帯域の周波数または第３の周波数帯域の周波数に極位置を有する伝達関数を有する、請求項２から２０までのいずれか１項記載のモジュール。
【請求項２２】
第１の信号路（１）に第３のローパス（１２）が配置されている、請求項１から２１までのいずれか１項記載のモジュール。
【請求項２３】
第３のローパス（１２）は主として第２の周波数帯域の周波数または第３の周波数帯域の周波数に極位置を有する伝達関数を有する、請求項２２記載のモジュール。
【請求項２４】
第２のハイパス（２１）の後方に第１の適合化電源回路網（２２）が配置されている、請求項４から２３までのいずれか１項記載のモジュール。
【請求項２５】
バンドパスフィルタ（３２）の後方に第２の適合化電源回路網（３３）が配置されている、請求項２から２４までのいずれか１項記載のモジュール。
【請求項２６】
第２の信号路（２）および第３の信号路（３）がそれぞれ受信路であって第１の信号路（１）が送受信路であるか、または、第１の信号路（１）および第３の信号路（３）がそれぞれ受信路であって第２の信号路（２）が送受信路である、請求項２から１０までおよび１２から２５までのいずれか１項記載のモジュール。
【請求項２７】
周波数切換部（４０）はバンドパスフィルタ（３２）およびディプレクサ（４１）を含み、第１の信号路（１）および第２の信号路（２）がディプレクサ（４１）を介して共通信号路へ接続されており、該共通信号路が第３の信号路（３）とアンテナ路（１２３）とに接続されている、請求項２および６から２６までのいずれか１項記載のモジュール。
【請求項２８】
当該のモジュールは表面実装可能な一体型ユニットとして構成されている、請求項１から２７までのいずれか１項記載のモジュール。
【請求項２９】
チップとして構成されたバンドパスフィルタ（３２）が支持体基板（９０）上に実装されている、請求項２８記載のモジュール。
【請求項３０】
支持体基板（９０）はメタライゼーション層と該メタライゼーション層間に配置されたセラミック層とを有する、請求項２８または２９記載のモジュール。
【請求項３１】
周波数切換部（４０）は少なくとも部分的に支持体基板内に集積されている、請求項２８から３０までのいずれか１項記載のモジュール。
【請求項３２】
第１の信号路（１）および第２の信号路（２）から選択される少なくとも１つの信号路にそれぞれ１つずつデュプレクサ（４３１，４３２）が配置されている、請求項２８から３１までのいずれか１項記載のモジュール。
【請求項３３】
デュプレクサ（４３１，４３２）は少なくとも部分的に支持体基板上に集積されている、請求項３２記載のモジュール。
【請求項３４】
第１の信号路（１）および第２の信号路（２）から選択される少なくとも１つの信号路にそれぞれ１つずつ増幅器（４６１，４６２）が配置されており、該増幅器は支持体基板上に実装されている、請求項２８から３３までのいずれか１項記載のモジュール。
【請求項３５】
第４の信号路が方向性カプラ（４４）を介して第１の信号路（１）の送信分岐（ＴＸ１）または第２の信号路（２）の送信分岐（ＴＸ２）に電磁的に結合されており、ここで方向性カプラ（４４）は支持体基板上または支持体基板内に集積されている、請求項２８から３４までのいずれか１項記載のモジュール。
【請求項３６】
第４の信号路は第１の信号路（１）の送信分岐（ＴＸ１）と第２の信号路（２）の送信分岐（ＴＸ２）との双方に電磁的に結合されている、請求項３５記載のモジュール。
【発明の詳細な説明】
【技術分野】
【０００１】
本発明は電気的マルチバンドモジュールに関する。
【０００２】
トリプレクサを備えた電気的マルチバンドモジュールは米国出願第２００３／０１２４９８４号明細書から公知である。
【０００３】
トリプレクサを備え、さらにＧＰＳ路に音響表面波によって動作するバンドパスフィルタを備えた電気的マルチバンドモジュールが米国出願第２００４／０１１６０９８号明細書から公知である。
【０００４】
本発明の解決すべき課題は、或る周波数帯域において障害なく大規模な受信が可能であり、同時にその他の周波数帯域においてデータ送信の可能な電気的マルチバンドモジュールを提供することである。
【０００５】
本発明の電気的マルチバンドモジュールは、それぞれ個別の周波数帯域で信号を伝送する少なくとも３つの信号路と、入力側でアンテナ路へ接続され、出力側で各信号路へ接続された周波数切換部とを有し、ここで、少なくとも１つの信号路にダブルモードＳＡＷフィルタを含むバンドパスフィルタが配置されている。
【０００６】
ダブルモードＳＡＷフィルタ（ＤＭＳフィルタ）とは、音響表面波によって動作する音響結合変換器を備えたレゾネータフィルタであると理解されたい。ＤＭＳフィルタは２つのリフレクタによって区切られた少なくとも１つの音響トラックを有する。音響トラックは少なくとも３つの変換器を備えた変換器装置を含む。
【０００７】
本発明の電気的マルチバンドモジュールは各信号路の透過領域に低い挿入減衰量を有する点において際立っている。内部にＤＭＳフィルタの配置された信号路は他の信号路に対して−４０ｄＢより大きな高い分離度を有する。
【０００８】
ＤＭＳフィルタは有利にはＳＡＷチップとして実現される。本発明の有利な実施形態では、支持体基板上にＳＡＷチップが配置される。
【０００９】
支持体基板はメタライゼーション層とこのメタライゼーション層間に配置されたセラミック層または積層体とを有する。
【００１０】
電気的マルチバンドモジュールの他の素子は、例えば、ローパスフィルタ、ディプレクサ、または、各信号路の出力インピーダンスを適合化するための適合化電源回路網であり、これらは支持体基板内または支持体基板の表面上に実装することができる。特にアンテナ側に配置される周波数切換部は少なくとも部分的に支持体基板内に集積される。"支持体基板内に集積される"とは、回路素子が導体路として少なくとも１つのメタライゼーション層に構成されることを意味する。
【００１１】
有利には、第１の信号路および第２の信号路が送受信路であり、第３の信号路が受信路である。
【００１２】
有利には、第１の信号路は中心周波数約１ＧＨｚまでの周波数帯域または中心周波数９００ＭＨｚまでの周波数帯域に対して用いられる。有利には、第２の信号路は中心周波数約１８００ＭＨｚからの周波数帯域に対して用いられる。
【００１３】
本発明の電気的マルチバンドモジュールは特に種々の移動無線の帯域の分離と付加的な周波数帯域でのデータ伝送とのために設けられている。本発明の有利な実施形態では、第１の周波数帯域および第２の周波数帯域は移動無線帯域であり、第３の周波数帯域はＧＰＳ帯域である。
【００１４】
第１の周波数帯域の中心周波数ｆ１、第２の周波数帯域の中心周波数ｆ２および第３の周波数帯域の中心周波数ｆ３に対してｆ１＜ｆ３＜ｆ２が成り立つ。本発明の有利な実施形態によれば、特にｆ３≧２ｆ１および／またはｆ３＜ｆ２＜１．５ｆ３が成り立つ。
【００１５】
第１の周波数帯域は８２４ＭＨｚ〜８９４ＭＨｚ、中心周波数ｆ１＝８５９ＭＨｚのＣＤＭＡ伝送プロセス用のＡＭＰＳ帯域（Advanced Mobile Phone System Band）に相応する。第１の周波数帯域には第１の信号路が対応している。
【００１６】
第３の周波数帯域は１５７４．４２ＭＨｚ〜１５７６．４２ＭＨｚ、中心周波数ｆ３＝１５７５．４２ＭＨｚのＧＰＳ帯域（Global Positioning System Band）に相応する。第３の周波数帯域には第３の信号路が対応している。
【００１７】
第２の周波数帯域は１８５０ＭＨｚ〜１９９０ＭＨｚ、中心周波数ｆ２＝１９２０ＭＨｚのＰＣＳ帯域（Personal Communication System Band）に相応する。第２の周波数帯域には第２の信号路が対応している。
【００１８】
本発明の電気的マルチバンドモジュールは３バンドモジュールに限定されない。ＵＭＴＳデータまたはＢｌｕｅｔｏｏｔｈデータを伝送するための別の信号路またはデータ伝送路を設けることができる。
【００１９】
周波数切換部は有利には専ら受動回路素子、例えばキャパシタンスおよびインダクタンスから構成される。これにより端末機における電流消費量が小さくて済む。周波数切換部の少なくとも一部または全ての素子を支持体基板内に集積することができる。また周波数切換部の少なくとも一部の素子をチップとして構成し、支持体基板上に実装してもよい。
【００２０】
チップは表面実装可能なコンタクトすなわちＳＭＤコンタクトを有する。チップはボンディングワイヤを介して支持体基板に電気的に接続されたベアダイとして構成される。これに代えて特にＳＡＷチップをフリップチップデバイスとして支持体基板上に実装することもできる。
【００２１】
有利には、バンドパスフィルタは第３の信号路に配置される。
【００２２】
周波数切換部は有利には多段に構成される。有利な実施形態では、周波数切換部は第１のディプレクサと第２のディプレクサとを含み、第２の信号路および第３の信号路が第２のディプレクサを介して共通信号路へまとめて接続され、共通信号路および第１の信号路が第１のディプレクサを介してアンテナ路へまとめて接続される。
【００２３】
有利には、第１のディプレクサは第１のローパスおよび第１のハイパスを含み、第１のハイパスは共通信号路に対応し、第１のローパスは第１の信号路に対応する。また有利には、第２のディプレクサは第２のローパスおよび第２のハイパスを含み、第２のローパスは第３の信号路に対応し、第２のハイパスは第２の信号路に対応する。
【００２４】
バンドパスフィルタは第１の周波数領域の信号または第２の周波数領域の信号を強く抑圧する阻止帯域を有する。
【００２５】
第２のハイパスは主として第１の周波数帯域の周波数または第３の周波数帯域の周波数に極位置を有する伝達関数を有する。
【００２６】
ダブルモードＳＡＷフィルタは直列に配置された複数の変換器から成る変換器装置を備えた１つまたは複数の音響トラックを有する。有利には並列接続された複数の入力変換器と並列接続された複数の出力変換器とが設けられている。ここでは、変換器装置は少なくとも５つの変換器を含み、それぞれの音響トラックでは入力変換器と出力変換器とが交互に配置される。つまり２つの出力変換器間に１つの入力変換器が配置されるかまたは２つの入力変換器間に１つの出力変換器が配置される。
【００２７】
バンドパスフィルタはさらに、ダブルモードＳＡＷフィルタの前方または後方に接続された少なくとも１つのＳＡＷレゾネータを含む。またダブルモードＳＡＷフィルタの前方および後方に１つずつＳＡＷレゾネータを配置してもよい。ＳＡＷレゾネータは例えば２つのリフレクタ間に配置された変換器を含む。
【００２８】
ＳＡＷレゾネータは直列レゾネータであっても並列レゾネータであってもよい。直列レゾネータは信号路に配置され、並列レゾネータは信号路からアースへいたる横分岐に配置される。
【００２９】
ここで取り上げている少なくとも１つのＳＡＷレゾネータは、少なくとも１つの直列レゾネータおよび少なくとも１つの並列レゾネータを含むラダー型素子またはラダー型装置によって置換することができる。
【００３０】
有利な実施形態では、バンドパスフィルタは対称出力側を有する。この場合ＤＭＳフィルタは有利にはバラン回路として用いられる。
【００３１】
第１の信号路に第２の周波数帯域の信号および第３の周波数帯域の信号を抑圧する第３のローパスが配置され、第３のローパスは主として第２の周波数帯域の周波数または第３の周波数帯域の周波数に極位置を有する伝達関数を有する。
【００３２】
第２のハイパスの後方に、第２の周波数帯域に対する第２の信号路の出力インピーダンスを適合化するための第１の適合化電源回路網を配置することができる。バンドパスフィルタの後方には、第３の周波数帯域に対する第３の信号路の出力インピーダンスを適合化するための第２の適合化電源回路網を配置することができる。
【００３３】
少なくとも１つの信号路は例えばデュプレクサまたは切換スイッチを介して受信分岐と送信分岐とに分岐されている。デュプレクサおよび切換スイッチは有利には支持体基板上に配置される。
【００３４】
有利な実施形態では、周波数切換部は第３の信号路に配置されたバンドパスフィルタを含み、このバンドパスフィルタがＤＭＳトラックおよび第１の周波数帯域の信号と第２の周波数帯域の信号とを分離するディプレクサを有している。この場合、バンドパスフィルタは直接に、つまりディプレクサの介在なしに共通のアンテナ路へ接続される。ここでの周波数切換部はトリプレクサと見なされる。
【００３５】
本発明の電気的マルチバンドモジュールはコンパクトなＳＭＤコンタクトチップとして実現可能であり、フロントエンドモジュールとも称される。ＳＭＤチップは信号路ごとに、１）デュプレクサ、２）信号路の送信分岐内の電力増幅器、電力検出器、方向性カプラ、例えば増幅器を制御するための少なくとも１つの切換スイッチを含む。電力増幅器の入力側にバンドパス統合部が設けられる。前述した送信分岐内の素子のほか、受信分岐内の少なくとも１つの素子、例えばＬＮＡおよび／またはバンドパスフィルタを、同一のモジュールとして実現することもできる。
【００３６】
以下に本発明の電気的マルチバンドモジュールの有利な実施例を図示し、詳細に説明する。ただし図は縮尺通りには描かれていないことに注意されたい。
【００３７】
図１には２つのディプレクサおよび１つのＤＭＳフィルタを備えた３バンドモジュールの等価ブロック図が示されている。図２にはマルチバンドモジュールの構造の断面図が示されている。図３には図１のモジュールの回路図が示されている。図４にはＤＭＳフィルタを備えたバンドパスフィルタの概略図が示されている。図５にはマルチバンドモジュールの信号路の伝達関数のグラフが示されている。図６には第１の信号路にデュプレクサおよび送信増幅器を有するフロントエンドモジュールの基本図が示されている。図７には２つの信号路にデュプレクサおよび送信増幅器を１つずつ有するフロントエンドモジュールの基本図が示されている。
【００３８】
図１には、マルチバンドモジュールを実現した回路の等価ブロック図が示されている。周波数切換部４０の入力側はアンテナ路１２３すなわちモジュールのアンテナ入力側である入力ゲートＩＮへ接続されている。周波数切換部４０は各信号路１，２，３を切り換える。第１の信号路１は第１の出力ゲートＯＵＴ１へ接続され、第２の信号路２は第２の出力ゲートＯＵＴ２へ接続され、第３の信号路３は第３の出力ゲートＯＵＴ３へ接続される。
【００３９】
周波数切換部４０は直列に接続された２つのディプレクサを有する。周波数切換部４０は、まず、アンテナ入力側に接続された第１のディプレクサ４１を有しており、この第１のディプレクサ４１は第１の信号路１を案内される第１の周波数帯域の信号と共通信号路２３を案内される第２の周波数帯域の信号および第３の周波数帯域の信号とを分離する。
【００４０】
さらに周波数切換部４０は共通信号路２３に第２のディプレクサ４２を有しており、この第２のディプレクサ４２は第２の信号路２を案内される第２の周波数帯域の信号と第３の信号路３を案内される第３の周波数帯域の信号とを分離する。
【００４１】
第１のディプレクサ４１は第１の信号路１に配置されるローパス１１と共通信号路２３に配置されるハイパス２３０とを含む。第２のディプレクサ４２は第２の信号路２に配置されるハイパス２１と第３の信号路３に配置されるローパス３１とを含む。
【００４２】
第１の信号路１（例えばセル）では、第１のローパス１１の後方に第２のローパス１２が配置されている。第２の信号路２（例えばＩＭＴ［International Mobile Telecommunications］またはＰＣＳ）では、ハイパス２１の後方に、第２の出力ゲートＯＵＴ２の出力インピーダンスを基準インピーダンス（例えば５０Ω）へ適合化する適合化電源回路網２２が配置されている。適合化電源回路網２２は支持体基板に集積することもできるし、またチップとして支持体基板上に実装することもできる。
【００４３】
第３の信号路３（例えばＧＰＳ）では、ローパス３１の後方にバンドパスフィルタ３２が配置されている。バンドパスフィルタ３２は図４に示されているようなＤＭＳフィルタを含む。第３の信号路３の出力側すなわちバンドパスフィルタ３２の後方には、第３の出力ゲートＯＵＴ３の出力インピーダンスを適合化する適合化電源回路網３３が配置されている。
【００４４】
また、第１の信号路１の出力側すなわち第２のローパス１２の後方に、第１の出力ゲートＯＵＴ１の出力インピーダンスを適合化する適合化電源回路網を配置してもよい。
【００４５】
マルチバンドモジュールは図１に示されているディプレクサ、フィルタおよび適合化電源回路網のほか、図示されない素子を含んでもよい。
【００４６】
図２にはマルチバンドモジュールの断面図が示されている。マルチバンドモジュールは、複数のメタライゼーション層およびその間に配置された誘電層から成る支持体基板９０を含む。支持体基板の下面にはモジュールのＳＭＤ実装のために図示されない回路板に対応するコンタクトが設けられている。支持体基板の上面には、ＳＡＷチップとして実現されたバンドパスフィルタ３２と、個別の素子またはチップとして実現されたインダクタンスＬ１，Ｌ３とが存在している。図１，図３を見ると、インダクタンスＬ１は第１のディプレクサ４１のローパスとして、インダクタンスＬ３は第２のディプレクサ４２のハイパス２１として設けられていることがわかる。
【００４７】
別の有利な実施例では、インダクタンスＬ１，Ｌ３は、支持体基板９０の少なくとも１つのメタライゼーション層の導体路として、メアンダ状または螺旋状に折り曲げられた形状でパターニングにより実現される。インダクタンスの各部は種々のメタライゼーション層として配置され、垂直方向のスルーコンタクトにより相互に電気的に接続される。
【００４８】
支持体基板の誘電層は、有利には、セラミック材料、例えば低温焼成セラミクスＬＴＣＣから成る。有利には、高い誘電定数ε＞１０を有するプラスティックも当該の誘電層の材料として考慮される。
【００４９】
支持体基板としての多層基板とＤＭＳフィルタを備えた表面実装可能なＳＡＷチップを使用することにより、底面積小さくまた透過帯域の挿入減衰量の低いコンパクトなモジュールを実現することができる。
【００５０】
図３には図１の回路の回路図が示されている。第１のローパス１１はインダクタンスＬ１により実現されており、第１の周波数帯域の信号を透過し、他の２つの周波数帯域の信号を阻止する。ハイパス２３０は有利には支持体基板９０内に配置されるキャパシタンスＣ１により実現される。キャパシタンスＣ１は第２の周波数帯域の信号および第３の周波数帯域の信号を透過し、第１の周波数帯域の信号を阻止する。
【００５１】
第２のローパス１２は、アースへの横分岐に接続されたキャパシタンスＣ２、および、第１の信号路１に接続されたインダクタンスＬ２およびキャパシタンスＣ３の並列振動回路から実現されている。第２のローパス１２は第１の周波数帯域の信号およびこれより下方の周波数帯域の信号全てを選択し、高い周波数の信号、特に、第２の周波数帯域の信号および第３の周波数帯域の信号を減衰させる。
【００５２】
ハイパス２１は、第２の信号路２に配置されたキャパシタンスＣ４、および、アースへの横分岐に接続されたインダクタンスＬ３およびキャパシタンスＣ５の直列振動回路から実現されている。直列振動回路Ｌ３，Ｃ５は、有利には、第３の周波数帯域に共振周波数を有し、第３の周波数帯域の信号およびこれより高い周波数帯域の信号を強く抑圧するように調整されている。インダクタンスＬ３は高い品質を有するが、これはＳＭＤコンタクトを備えたチップインダクタンスにより達成される。
【００５３】
ローパス３１はアースへ接続されたキャパシタンスＣ６と第３の信号路３に配置されたインダクタンスＬ４とを含む。ローパス３１は第３の周波数帯域より高い周波数帯域の信号を阻止する。ローパス３１をバンドパスフィルタ３２と共働させれば、第３の周波数帯域の信号を選択し、第１の周波数帯域の信号および第２の周波数帯域の信号を減衰させることができる。
【００５４】
バンドパスフィルタ３２の後方に、直列インダクタンスＬ５および横分岐のキャパシタンスＣ７から成るローパスを含む適合化電源回路網３３が接続されている。適合化電源回路網３３により、第３の出力ゲートＯＵＴ３での出力インピーダンスが例えば５０Ωまたは他の基準インピーダンスへ適合化される。
【００５５】
適合化電源回路網２２は直列インダクタンスＬ６を含み、この直列インダクタンスはここではマルチバンドモジュールの要素であるが、外部すなわちマルチバンドモジュールの実装される回路板上に配置されてもよいし、支持体基板内に実現されてもよい。有利な実施例では、インダクタンスＬ６は、例えば第２の信号路２を高周波数信号の伝送、特に２６３３ＭＨｚ〜２６５０ＭＨｚのＳ−ＤＭＢ周波数帯域（ディジタルマルチメディア衛星放送用の周波数帯域）の信号の伝送に利用できるよう、第２の出力ゲートＯＵＴ２での出力インピーダンスを適合化するために用いられる。第２の信号路は、第１の実施例の第３の信号路と同様に、純粋な受信路であってよい。
【００５６】
適合化電源回路網２２，３３はそれぞれインダクタンスＬ５，Ｌ６およびキャパシタンスＣ７とは別の回路素子を有することもできる。
【００５７】
並列振動回路Ｌ２，Ｃ３の並列共振は、第２の周波数帯域または第３の周波数帯域で共振が阻止されるように選定されている。第１の信号路の伝達関数は所定の極位置ないしは信号が強く抑圧される阻止帯域を有する。
【００５８】
直列振動回路Ｌ３，Ｃ５の直列共振は、第１の周波数帯域または第２の周波数帯域で共振が生じるように選定されている。このとき当該の周波数帯域の信号はアースへ短絡される。第２の信号路の伝達関数は所定のゼロ位置ないしは信号が強く抑圧される阻止帯域を有する。
【００５９】
図４にはＤＭＳトラック５０を備えたバンドパスフィルタ３２が示されている。ＤＭＳトラックは音響リフレクタ５２間に配置された変換器装置を含む。変換器装置は並列接続された２つの入力変換器５０２，５０４と並列接続された３つの出力変換器５０１，５０３，５０５とを含む。入力変換器は出力変換器に音響的に結合されているが、電気的には分離されている。
【００６０】
入力変換器を出力変換器として用いることも出力変換器を入力変換器として用いることもできる。
【００６１】
ＤＭＳトラックは３つの変換器から構成することもできるし、５つより多数の変換器から構成することもできる。このとき入力変換器と出力変換器とは音波の伝搬方向で見て交互に一列に配置される。ＤＭＳトラックは中心軸線に対して鏡面対称に構成されているか、中心に対して点対称に構成されている。
【００６２】
少なくとも１つの変換器、例えば中央に配置された変換器はＶ字形スプリット部を有する。
【００６３】
ＤＭＳトラック５０の前方に第１のＳＡＷレゾネータ６０が、後方に第２のＳＡＷレゾネータ７０が接続されている。第１のレゾネータ６０は２つのリフレクタ６２とこれらのリフレクタ間に配置された１つの変換器６１とを含む。第２のレゾネータ７０は２つのリフレクタ７２とこれらのリフレクタ間に配置された１つの変換器７１とを含む。
【００６４】
図４に示されているレゾネータ６０，７０のうち少なくとも１つは別の実施例では省略することもできる。
【００６５】
第３の信号路３のバンドパスフィルタ３２においてＤＭＳトラックを用いることにより、１つの周波数帯域全体が他の２つの周波数帯域に対して少なくとも−４０ｄＢほども強く分離されることが保証される。
【００６６】
図４に示されている実施例では、ＤＭＳトラックの入力側と出力側とが非対称すなわち非平衡に接続されている。ただし別の実施例として、有利には、ＤＭＳトラックの入力側と出力側とを対称すなわち平衡に接続することができる。
【００６７】
図５にはマルチバンドモジュールの伝達関数のグラフが示されている。第１の信号路の伝達関数８１は６００ＭＨｚより下方の低周波数領域に低い挿入減衰量を有する。これにより第１の信号路１を介して６００ＭＨｚより下方の周波数帯域の信号を低い挿入減衰量で伝送することができる。第１の周波数帯域の信号と他の周波数帯域の信号とはそれぞれ周波数切換部により分離される。
【００６８】
第２の信号路２の伝達関数８２は１．６ＧＨｚ〜３ＧＨｚの周波数帯域に低い挿入減衰量を有する。
【００６９】
第３の信号路の伝達関数８３は１．７ＧＨｚより高い周波数領域の信号および１．３ＧＨｚより低い周波数領域の信号を強く抑圧する。また、第３の信号路３の伝達関数は第３の周波数帯域に低い挿入減衰量を有することもできる。
【００７０】
支持体基板上または支持体基板内に、受動素子、例えば各信号路の送信信号および受信信号を分離するためのデュプレクサを配置することができる。半導体チップの切換スイッチなどを支持体基板上に配置することもできる。
【００７１】
図６，図７にはマルチバンドモジュールの各素子を高度に集積したフロントエンドモジュールの基本図が示されている。支持体基板９０は破線で示されており、この支持体基板上または支持体基板内に図示の全ての素子が配置される。
【００７２】
図６にはフロントエンドモジュールの第１の実施例が示されている。このフロントエンドモジュールは第１の信号路１の素子を含む。
【００７３】
図６，図７の第３の信号路３は直接にアンテナ入力側ＩＮおよびアンテナ路１２３へ接続されている。これはディプレクサ４１およびＤＭＳトラックを備えたバンドパスフィルタ３２の双方が直接にアンテナ路１２３へ接続されていることを意味する。
【００７４】
ディプレクサ４１は、図１の実施例と同様に、第１の信号路１と第２の信号路２とを分離するために設けられている。第１の信号路１には、送信路ＴＸ１を受信路ＲＸ１から分離するデュプレクサ４３１が配置されている。送信路ＴＸ１および受信路ＲＸ１は双方とも第１の周波数帯域に対応する。デュプレクサ４３１は２つのバンドパスすなわち送信フィルタおよび受信フィルタを有する。送信路ＴＸ１には電力増幅器４６１が配置されている。第１の信号路の出力側に相応する増幅器入力側には、インタステージフィルタとしてのバンドパス４７１が配置されており、これは第１の周波数帯域の送信信号のみを透過する。
【００７５】
図７にはフロントエンドモジュールの第２の実施例が示されている。このフロントエンドモジュールは第１の信号路１および第２の信号路２の双方に次のような素子を有する。
【００７６】
第２の信号路２は、図６の第１の信号路１とほぼ同様に構成される。第２の信号路２には、送信路ＴＸ２を受信路ＲＸ２から分離するデュプレクサ４３２が配置されている。送信路ＴＸ２および受信路ＲＸ２は双方とも第２の周波数帯域に対応する。デュプレクサ４３２は２つのバンドパスすなわち送信フィルタおよび受信フィルタを有する。送信路ＴＸ２には電力増幅器４６２が配置されている。第２の信号路の出力側に相応する増幅器入力側には、インタステージフィルタとしてのバンドパス４７２が配置されており、これは第２の周波数帯域の送信信号のみを透過し、第１の周波数帯域の送信信号を抑圧する。
【００７７】
図６の実施例では、送信路ＴＸ１は方向性カプラ４４を介して電磁的に付加的な信号路へ結合されている。付加的な信号路には電力検出器４５（パワーディテクタ）および遮断抵抗Ｒが配置されている。図７の実施例では、当該の付加的な信号路は第１の信号路１の送信路ＴＸ１および第２の信号路２の送信路ＴＸ２に結合されている。
【００７８】
電力検出器４５に対する給電電圧Ｖｅｎと送信信号の整流成分に相応する出力電圧Ｖｄｅｔとが示されている。出力電圧は増幅器の出力信号の信号強度を検出または監視するために用いられる。
【００７９】
各増幅器に対する給電電圧ＶＣＣ，ＶＣＣ１，ＶＣＣ２、各増幅器に対する基準電圧Ｖｒｅｇ、切換スイッチ４８１，４８２を駆動するための制御電圧Ｖｓｔｂｙも示されている。切換スイッチは基準電圧のイネーブルまたはスタンバイモードの設定のために操作される。スタンバイモードでは増幅器は電流を消費しない。増幅器の駆動モードを選択および設定するための電圧Ｖｍｏｄｅも示されている。
【００８０】
別の実施例において、受信路ＲＸ１，ＲＸ２の図示されていない素子、例えばバンドパスおよび低ノイズ増幅器ＬＮＡなどを図示のフロントエンドモジュールに集積することもできる。
【００８１】
有利には、ディプレクサ、ローパス、線路、方向性カプラ、インダクタンスおよびキャパシタンスなどの受動素子は支持体基板の内部に実現され、バンドパス、デュプレクサなどの能動素子はチップとして支持体基板上に実現される。
【００８２】
支持体基板上に配置される素子、特にＤＭＳトラックを備えたバンドパスフィルタは、ケーシングのないチップすなわちベアダイとして構成することもできるし、ケーシングを有するチップ、有利にはＳＭＤモジュールとして構成することもできる。ベアダイは支持体基板上にワイヤボンディングされるかまたはフリップチップデバイスとして実装される。
【００８３】
デュプレクサ４３１，４３２は図６，図７の実施例においては少なくとも部分的に支持体基板９０上または支持体基板９０内に集積される。
【００８４】
デュプレクサは送信フィルタ、受信フィルタおよび適合化電源回路網を含む。適合化電源回路網はインピーダンス適合化を行うために、受信分岐内に位相線路、例えばλ／４線路を有する。
【００８５】
デュプレクサの送信フィルタおよび受信フィルタを共通のデュプレクサチップとして実現することができる。これに代えてこれらのフィルタを別個に構成してもよい。デュプレクサの適合化電源回路網は少なくとも部分的にデュプレクサチップまたはフィルタチップとして集積することができる。有利には、λ／４線路は完全にデュプレクサチップ内に集積される。デュプレクサの適合化電源回路網は少なくとも部分的に支持体基板内に集積される。
【００８６】
本発明のマルチバンドモジュールは図示の実施例、特に適合化電源回路網、フィルタおよびディプレクサから成る構成に限定されない。周波数切換部ではディプレクサをカスケード接続することが特に有利であるが、場合によってはこれをトリプレクサとして構成することもできる。
【図面の簡単な説明】
【００８７】
【図１】３バンドモジュールの等価ブロック図である。
【図２】マルチバンドモジュールの構造の断面図である。
【図３】３バンドモジュールの回路図である。
【図４】ＤＭＳフィルタを備えたバンドパスフィルタの概略図である。
【図５】マルチバンドモジュールの信号路の伝達関数のグラフである。
【図６】フロントエンドモジュールの第１の実施例の基本図である。
【図７】フロントエンドモジュールの第２の実施例の基本図である。
【符号の説明】
【００８８】
１  第１の信号路、  １１  第１のローパス、  １２  第３のローパス、  １２３  アンテナ路、  ２  第２の信号路、  ２１  第２のハイパス、  ２２  適合化電源回路網、  ２３  共通信号路、  ２３０  第１のハイパス、  ３  第３の信号路、  ３１  第２のローパス、  ３２  バンドパスフィルタ、  ３３  適合化電源回路網、  ４０  周波数切換部、  ４１  第１のディプレクサ、  ４２  第２のディプレクサ、  ４３１，４３２  デュプレクサ、  ４４  方向性カプラ、  ４５  電力検出器、  ４６１，４６２  電力増幅器、  ４７１，４７２  バンドパス、  ４８１，４８２  切換スイッチ、  ５０  ＤＭＳトラック、  ６０，７０  レゾネータ、  ６１，７１  変換器、  ５０１，５０３，５０５  出力変換器、  ５０２，５０４  入力変換器、  ５２，６２，７２  音響リフレクタ、  ８１  第１の信号路の伝達関数曲線、  ８２  第２の信号路の伝達関数曲線、  ８３  第３の信号路の伝達関数曲線、  ９０  支持体基板、  Ｃ１〜Ｃ７  キャパシタンス、  ＩＮ  アンテナ入力側、  Ｌ１〜Ｌ６  インダクタンス、  ＯＵＴ１  第１の出力側、  ＯＵＴ２  第２の出力側、  ＯＵＴ３  第３の出力側、  ＯＵＴ１−ＲＸ，ＯＵＴ２−ＲＸ，ＯＵＴ１−ＴＸ，ＯＵＴ２−ＲＸ  出力側、  Ｒ  遮断抵抗、  ＲＸ１，ＲＸ２  受信分岐、  ＴＸ１，ＴＸ２  送信分岐、  Ｖｒｅｆ  基準電圧、  Ｖｍｏｄｅ，Ｖｓｔｂｙ，Ｖｅｎ  制御電圧、  Ｖｄｅｔ  電圧
【図１】
2009534871.tif 000003
【図２】
2009534871.tif 000004
【図３】
2009534871.tif 000005
【図４】
2009534871.tif 000006
【図５】
2009534871.tif 000007
【図６】
2009534871.tif 000008
【図７】
2009534871.tif 000009
【国際調査報告】
2009534871.tif 000010
2009534871.tif 000011
2009534871.tif 000012
2009534871.tif 000013
2009534871.tif 000014
2009534871.tif 000015
2009534871.tif 000016
2009534871.tif 000017